(57)【要約】【課題】  許諾された作業者にのみ、操作される受変電システムおよび受変電装置を提供する。【解決手段】  作業者に装着される端末装置３は、操作の許諾に関するコードを無線電波にて送信し、受変電装置２は、端末装置３から送信された操作の許諾に関するコードを受信する送受信部２１と、送受信部２１により受信された操作の許諾に関するコードに基づき、対象となる受変電設備の操作部である開閉器６のロックを解除すること、受変電設備の扉錠５を開錠すること、のうち少なくとも一つを判断する判断部２７と、判断部２７の判断に基づき、受変電設備の操作部である開閉器６のロックを解除すること、受変電設備の扉錠５を開錠すること、のうち少なくとも一つを行う開閉指示部２４と、を備える。【選択図】  図１
2019068531.tif 000002
【特許請求の範囲】
【請求項１】
操作の許諾に関するコードを無線電波にて送信する、作業者に装着される端末装置と、
前記端末装置から送信された操作の許諾に関する前記コードを受信する送受信部と、
前記送受信部により受信された操作の許諾に関する前記コードに基づき、対象となる受変電設備の操作部のロックを解除すること、前記受変電設備の扉錠を開錠すること、のうち少なくとも一つを判断する判断部と、
前記判断部の判断に基づき、受変電設備の操作部のロックを解除すること、前記受変電設備の扉錠を開錠すること、のうち少なくとも一つを行う開閉指示部と、
を備える受変電装置と、
を有する受変電システム。
【請求項２】
前記受変電装置の判断部が、前記端末装置から操作の許諾に関する前記コードを受信しないと判断した場合、前記開閉指示部は対象となる受変電設備の操作部をロックすること、前記受変電設備の扉錠を施錠すること、のうち少なくとも一つを行う
請求項１に記載の受変電システム。
【請求項３】
前記受変電装置の判断部が、前記端末装置から操作の許諾に関する前記コードを受信しないと判断した場合に、受変電設備の操作部を操作する動作、前記受変電設備の扉錠を開錠する操作、のうち少なくとも一つが行われた場合、警報信号を出力する
請求項１または請求項２に記載の受変電システム。
【請求項４】
前記受変電装置は、操作の許諾に関する前記コードにかかる無線電波の電波強度を測定する測定部と、
前記測定部により測定された電波強度を、複数の受変電装置にて相互に通信する通信部と、を備え、
前記判断部は、前記通信部により受信された電波強度のうち、自己の電波強度が最大であると判断しない場合は、対象となる受変電設備の操作部のロックを解除すること、前記受変電設備の扉錠を開錠すること、を行わないと判断する、
請求項１乃至請求項３のいずれか１項に記載の受変電システム。
【請求項５】
前記端末装置は、通電を検出する検電部を含み、作業者により装着されるリストバンドに配置される、請求項１乃至請求項４のいずれか１項に記載の受変電システム。
【請求項６】
前記端末装置は、ＲＦＩＤにより構成され、前記端末装置は受変電装置から送信された電波にかかるエネルギーを電源として動作する、請求項１乃至請求項５のいずれか１項に記載の受変電システム。
【請求項７】
前記端末装置は、受変電装置から送信された、電力にかかる誘導のエネルギーを電源として動作する、請求項１乃至請求項５のいずれか１項に記載の受変電システム。
【請求項８】
作業者に装着された端末装置から無線電波にて送信された操作の許諾に関するコードを受信する送受信部と、
前記送受信部により受信された操作の許諾に関する前記コードに基づき、対象となる受変電設備の操作部のロックを解除すること、前記受変電設備の扉錠を開錠すること、のうち少なくとも一つを判断する判断部と、
前記判断部の判断に基づき、受変電設備の操作部のロックを解除すること、前記受変電設備の扉錠を開錠すること、のうち少なくとも一つを行う開閉指示部と、
を備える受変電装置。
【請求項９】
前記判断部が、前記端末装置から操作の許諾に関する前記コードを受信しないと判断した場合、前記開閉指示部は対象となる受変電設備の操作部をロックすること、前記受変電設備の扉錠を施錠すること、のうち少なくとも一つを行う
請求項８に記載の受変電装置。
【請求項１０】
前記判断部が、前記端末装置から操作の許諾に関する前記コードを受信しないと判断した場合に、受変電設備の操作部を操作する動作、前記受変電設備の扉錠を開錠する操作、のうち少なくとも一つが行われた場合、警報信号を出力する
請求項８または請求項９に記載の受変電装置。
【請求項１１】
操作の許諾に関する前記コードにかかる無線電波の電波強度を測定する測定部と、
前記測定部により測定された電波強度を、複数の受変電装置にて相互に通信する通信部と、を備え、
前記判断部は、前記通信部により受信された電波強度のうち、自己の電波強度が最大であると判断しない場合は、対象となる受変電設備の操作部のロックを解除すること、前記受変電設備の扉錠を開錠すること、を行わないと判断する、
請求項８乃至請求項１０のいずれか１項に記載の受変電装置。
【発明の詳細な説明】
【技術分野】
【０００１】
本実施形態は電力系統の管理を行う受変電システムおよび受変電装置に関する。
【背景技術】
【０００２】
電力を安定供給するために電力系統に受変電装置が設置される。この種の電力系統の管理を行う受変電装置として、電力系統の電気量を計測し故障を検出するとともに、電力系統の開閉を行う受変電システムが知られている。
【先行技術文献】
【特許文献】
【０００３】
【特許文献１】特開２０１０−１８６４８３公報
【特許文献２】特開２０１２−１９４７６２公報
【特許文献３】特開平０８−２２０１５１公報
【発明の概要】
【発明が解決しようとする課題】
【０００４】
電力系統には、電力系統の故障が発生した場合、または電力系統のメンテナンスが行われる場合に操作される、受変電装置が配置される。受変電装置には、遮断器等を操作するための開閉器が盤面に設けられ、作業者により操作される。また、受変電機器が、施錠された扉を有する盤内に配置され、作業者により扉が開錠され、操作される。
【０００５】
受変電装置の開閉器の操作、および扉の開錠は、熟練した電気主任技術者により行われることが望ましい。しかしながら受変電装置の開閉器の操作、および扉の開錠が、熟練していない作業者にも行われる可能性があるとの問題点があった。受変電装置の操作は、許諾された作業者にのみ、行われることが望ましい。
【０００６】
本実施形態は、上記問題点を解決するために、許諾された作業者にのみ、操作される受変電システムおよび受変電装置を提供することを目的とする。
【課題を解決するための手段】
【０００７】
本実施形態の受変電システムは、次のような構成を有することを特徴とする。
（１）操作の許諾に関するコードを無線電波にて送信する、作業者に装着される端末装置。
（２）次のような構成を備えた受変電装置。
（２−１）端末装置から送信された操作の許諾に関する前記コードを受信する送受信部。
（２−２）送受信部により受信された操作の許諾に関する前記コードに基づき、対象となる受変電設備の操作部のロックを解除すること、受変電設備の扉錠を開錠すること、のうち少なくとも一つを判断する判断部。
（２−３）判断部の判断に基づき、受変電設備の操作部のロックを解除すること、受変電設備の扉錠を開錠すること、のうち少なくとも一つを行う開閉指示部。
また、上記の受変電装置も本実施形態に含まれる。
【図面の簡単な説明】
【０００８】
【図１】第１実施形態にかかる受変電システムを示す図
【図２】第１実施形態にかかる受変電装置の構成を示す図
【図３】第１実施形態にかかる端末装置の構成を示す図
【図４】第１実施形態にかかる受変電装置のプログラムフローを示す図
【図５】第１実施形態にかかる端末装置のプログラムフローを示す図
【発明を実施するための形態】
【０００９】
［１．第１実施形態］
［１−１．構成］
図１〜３を参照して本実施形態の一例としての受変電システムについて説明する。
【００１０】
（１）受変電システムの全体構成
本受変電システム１は、受変電装置２、端末装置３を有する。本実施形態では受変電装置２として、３台の受変電装置２ａ、２ｂ、２ｃを有するものとする。受変電装置２ａ、２ｂ、２ｃは、通信回線８を介し相互に接続されるとともに、中央制御装置７に接続される。
【００１１】
また、受変電装置２ａ、２ｂ、２ｃは、それぞれ受変電設備４ａ、４ｂ、４ｃに配置される。受変電設備４ａ、４ｂ、４ｃは、それぞれ扉錠５ａ、５ｂ、５ｃおよび開閉器６ａ、６ｂ、６ｃを有する。扉錠５ａ、５ｂ、５ｃおよび開閉器６ａ、６ｂ、６ｃはそれぞれ受変電設備４ａ、４ｂ、４ｃに接続され、操作が禁止または許諾される。開閉器６ａ、６ｂ、６ｃが請求項における操作部に相当する。
【００１２】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１３】
受変電システム１において、以下のデータが、入力、出力、送受信または記憶される。
データＤ１．コードの送信を命じるコマンド
データＤ２．操作の許諾に関するコード
データＤ３．無線電波の電波強度を示すデータ
データＤ４．操作を許諾するコード
【００１４】
（受変電装置２）
受変電装置２は、マイクロコンピュータ等により構成された装置である。受変電装置２は、端末装置３からデータＤ２を受信し、受変電設備４の開閉器６のロックまたはロック解除の制御、扉錠５の開錠または施錠の制御を行う。データＤ２にかかる操作の許諾に関するコードには、作業者の識別コード、許諾の対象となる受変電設備４を示すコード、開閉器６の開閉の許諾を求めるコード、扉錠５の開錠の許諾を求めるコードが含まれる。データＤ２は、作業者の熟練の度合い等に応じ、端末装置３に予め設定される。
【００１５】
受変電装置２は、受変電設備４に配置される。受変電設備４は、開閉器６および扉錠５を有する。受変電装置２は、開閉器６のロックまたはロック解除の制御、扉錠５の開錠または施錠の制御を行う。受変電装置２は、受変電設備４の外部に配置されるものであってもよいし、内部に配置されるものであってもよい。受変電装置２は、受変電設備４とともに、配電室等に設置される。
【００１６】
受変電装置２は、端末装置３に対しデータＤ１、データＤ４を送信する。端末装置３はデータＤ１に応答する形で、データＤ２を送信する。
【００１７】
また、受変電装置２は、端末装置３から送信された電波の強度を測定する。測定された電波の強度はデータＤ３として、通信回線８を介し、複数の受変電装置２（２ａ、２ｂ、２ｃ）相互間に送信される。
【００１８】
複数の受変電装置２（２ａ、２ｂ、２ｃ）は、各受変電装置２から送信されたデータＤ３を受信する。複数の受変電装置２（２ａ、２ｂ、２ｃ）は、自己の電波強度が最大であると判断する場合は、対象となる受変電設備４の開閉器６のロックを解除すること、受変電設備の扉錠５を開錠すること、を行う。受変電装置２は、操作を許諾する場合、端末装置３に対しデータＤ４を送信する。
【００１９】
複数の受変電装置２（２ａ、２ｂ、２ｃ）は、自己の電波強度が最大であると判断しない場合は、対象となる受変電設備４の開閉器６のロックを解除すること、受変電設備の扉錠５を開錠すること、を行わない。
【００２０】
（端末装置３）
端末装置３は、無線電波送受信することができるＲＦＩＤ等のチップおよび検電器により構成された装置である。端末装置３は、受変電装置２から送信されたデータＤ１に応答し、データＤ２を送信する。端末装置３は、受変電装置２から送信されたデータＤ１の電波にかかるエネルギーを電源として動作する。端末装置３は、作業者により装着されるリストバンドに配置される。
【００２１】
端末装置３は、受変電設備４が通電されていることを検出した場合であって、受変電装置２からデータＤ４にかかる操作を許諾するコードを受信していない場合に、警報信号を出力する。
【００２２】
（受変電設備４）
受変電設備４は、開閉器、遮断器、断路器、計器用変圧器変流器、計測器、制御機器等の電力保護管理用の設備である。受変電設備４は、電力系統に配置される。受変電設備４は、扉錠５、開閉器６を有する。扉錠５は、開閉器６を内蔵する受変電設備４の扉に配置される。開閉器６は、受変電装置２によりロックまたはロック解除される。扉錠５は、受変電装置２により開錠または施錠される。
【００２３】
（扉錠５）
扉錠５は、受変電設備４の扉（図中不示）に配置され、扉が開かれることを妨げる錠前である。受変電設備４の扉を有する受変電設備４の内部に、開閉器、遮断器、断路器、計器用変圧器変流器、計測器、制御機器等の電力保護管理用の設備が内蔵される。扉錠５は、受変電装置２により開錠または施錠される。
【００２４】
（開閉器６）
開閉器６は、電力系統（図中不示）に配置され、電力を導通、非導通とする配電部材である。開閉器６は、受変電設備４の盤の表面に配置される。開閉器６は、受変電装置２によりロックまたはロック解除される。開閉器６は、ロック解除された時に、作業者により操作される。開閉器６が請求項における操作部に相当する。
【００２５】
（中央制御装置７）
中央制御装置７は、大型の表示装置がコンソールに収納された電力系統の監視制御を行うための装置である。中央制御装置７は、具体的には主回路機器の制御を行う連動ＰＬＣ（プログラマブルロジックコントロール）盤、系統保護を行う保護継電器盤、系統の電気量を計測する計測盤等の機器である。
【００２６】
中央制御装置７は、通信回線８を介し受変電装置２に対し、各種制御データの送受信を行う。
【００２７】
（通信回線８）
通信回線８は、社内イントラネット、インターネット等により構成された通信回線である。通信回線８は、各受変電装置２（２ａ、２ｂ、２ｃ）および中央監視装置７に接続され、データＤ３の送受信に使用される。
【００２８】
（２）受変電装置２の構成
受変電装置２は、端末装置３からデータＤ２を受信し、受変電設備４の開閉器６のロックまたはロック解除の制御、扉錠５の開錠または施錠の制御を行う装置である。
【００２９】
受変電装置２は、送受信部２１、測定部２２、通信部２３、開閉指示部２４、警報出力部２５、記憶部２６、制御部２７を有する。制御部２７が請求項における判断部に相当する。
【００３０】
（送受信部２１）
送受信部２１は、無線電波の送受信回路により構成される。送受信部２１は、送受信を制御部２７に制御される。送受信部２１は、端末装置３と無線電波によりデータＤ１、データＤ２、データＤ４の送受信を行う。
【００３１】
送受信部２１は、無線電波により、端末装置３に対し、データＤ１を送信する。送受信部２１は、端末装置３から無線電波にて送信されたデータＤ２を受信する。送受信部２１は、受信したデータＤ２を、制御部２７に出力する。操作を許諾する場合、送受信部２１は、端末装置３に対しデータＤ４を送信する。
【００３２】
（測定部２２）
測定部２２は、無線電波の強度の測定を行う、アナログデジタル変換回路等による測定回路により構成される。測定部２２は、無線電波の強度測定を制御部２７に制御される。
【００３３】
測定部２２は、端末装置３から送信されたデータＤ２にかかる無線電波の強度の測定を行う。測定部２２は、測定した無線電波の電波強度を示すデータをデータＤ３として、制御部２７に出力する。
【００３４】
（通信部２３）
通信部２３は、インターネット等の送受信回路により構成される。通信部２３は、受変電装置２外部の通信回線８に接続される。通信部２３は、送受信を制御部２７に制御される。通信部２３は、通信回線８を介し、他の受変電装置２に対し、データＤ３を送信する。
【００３５】
（開閉指示部２４）
開閉指示部２４は、開閉器６、扉錠５の制御信号を出力する出力回路により構成される。開閉指示部２４は、受変電設備４の開閉器６、扉錠５に接続される。開閉指示部２４は、制御部２７に制御され、開閉器６に対しロックまたはロック解除を行う制御信号、扉錠５に対し開錠または施錠を行う制御信号を出力する。
【００３６】
（警報出力部２５）
警報出力部２５は、警報音、警報表示を出力する警報装置により構成される。警報出力部２５は、制御部２７に制御され、警報音、警報表示により警報信号を出力する。警報出力部２５は、制御部２７により、データＤ２に基づき、操作の許諾を行わないと判断された場合であって、受変電設備４の開閉器６を操作する動作、受変電設備４の扉錠５を開錠する操作が行われた場合に、警報信号を出力する。
【００３７】
（記憶部２６）
記憶部２６は、半導体メモリやハードディスクのような記憶媒体にて構成される。記憶部２６は、制御部２７によりデータの記憶および読出しが制御される。記憶部２６は、受変電設備４ごとに、開閉器６の開閉を許諾する作業者の識別コード、扉錠５の開錠を許諾する作業者の識別コードを記憶する。開閉器６の開閉を許諾する作業者の識別コード、扉錠５の開錠を許諾する作業者の識別コードは、予め受変電設備４ごとに設定され、各受変電設備４の記憶部２６が記憶する。
【００３８】
（制御部２７）
制御部２７は、マイクロコンピュータにより構成される。制御部２７は、後述するコンピュータプログラムを内蔵する。制御部２７は、送受信部２１、測定部２２、通信部２３、開閉指示部２４、警報出力部２５、記憶部２６に接続される。制御部２７は、送受信部２１、測定部２２、通信部２３、開閉指示部２４、警報出力部２５、記憶部２６に対し、以下の演算および制御を行う。
【００３９】
（Ａ１）送受信部２１に対する制御
制御部２７は、端末装置３に対し無線電波にてデータＤ１を送信するように、送受信部２１を制御する。制御部２７は、端末装置３から無線電波にて送信されたデータＤ２を受信するように、送受信部２１を制御する。操作を許諾する場合、制御部２７は、端末装置３に対しデータＤ４を送信するように、送受信部２１を制御する。
【００４０】
（Ａ２）測定部２２に対する制御
制御部２７は、端末装置３から無線電波にて送信されたデータＤ２にかかる無線電波の強度の測定を行うように、測定部２２を制御する。測定部２２により測定された無線電波の電波強度を示すデータは、データＤ３として、制御部２７に入力される。
【００４１】
（Ａ３）通信部２３に対する制御
制御部２７は、通信回線８を介し他の受変電装置２に対し、データＤ３を送信するように、通信部２３を制御する。制御部２７は、測定部２２から入力されたデータＤ３を、通信回線８用の伝送フォーマット、伝送速度に変換する。
【００４２】
（Ａ４）開閉指示部２４に対する制御
制御部２７は、開閉器６に対しロックまたはロック解除を行う制御信号、扉錠５に対し開錠または施錠を行う制御信号を出力するように、開閉指示部２４を制御する。
【００４３】
（Ａ５）警報出力部２５に対する制御
制御部２７は、警報音、警報表示により警報信号を出力するように、警報出力部２５を制御する。制御部２７は、データＤ２に基づき、操作の許諾を行わないと判断した場合であって、受変電設備４の開閉器６を操作する動作、受変電設備４の扉錠５を開錠する操作が行われた場合に、警報信号を出力するように、警報出力部２５を制御する。
【００４４】
（Ａ６）記憶部２６に対する制御
制御部２７は、記憶部２６に対し、受変電設備４ごとに設定された開閉器６の開閉を許諾する作業者の識別コード、扉錠５の開錠を許諾する作業者の識別コード、の記憶および読出しの制御を行う。
【００４５】
（３）端末装置３の構成
端末装置３は、受変電装置２から無線電波にて送信されたデータＤ１に応答し、データＤ２を送信する装置である。端末装置３は、送受信部３１、記憶部３２、制御部３３、検電部３４、警報出力部３５を有する。送受信部３１、記憶部３２、制御部３３は一つのＲＦＩＤチップにより構成される。
【００４６】
（送受信部３１）
送受信部３１は、無線電波の送受信回路により構成される。送受信部３１は、送受信を制御部３３に制御される。送受信部３１は、受変電装置２と無線電波によりデータＤ１、データＤ２、データＤ４の送受信を行う。
【００４７】
送受信部３１は、受変電装置２から無線電波にて送信されたデータＤ１を受信する。送受信部３１は、受信したデータＤ１を、制御部３３に出力する。送受信部３１は、無線電波により、受変電装置２に対し、データＤ２を送信する。操作が許諾される場合、送受信部３１は、受変電装置２からデータＤ４を受信する。
【００４８】
（記憶部３２）
記憶部３２は、半導体メモリのような記憶媒体にて構成される。記憶部３２は、制御部３３によりデータの記憶および読出しが制御される。記憶部３２は、端末装置３を装着する作業者ごとに付与されるデータＤ２を記憶する。データＤ２は、作業者の識別コードであり、予め端末装置３ごとに設定され、記憶部３２が記憶する。
【００４９】
（検電部３４）
検電部３４は、電気回路が通電されているかを検出する検出器により構成される。検電部３４は、通電されている受変電設備４から発せられる電力にかかる誘導のエネルギーを受け、表示を発光させる。検電部３４は、受変電設備４が通電されていることを表示にて作業者に報知する。また、検電部３４は、受変電設備４が通電されていることを示す信号を制御部３３に出力する。
【００５０】
（警報出力部３５）
警報出力部３５は、警報音、警報表示を出力する警報装置により構成される。警報出力部３５は、制御部３３に制御され、警報音、警報表示により警報信号を出力する。警報出力部３５は、検電部３４が通電を検出した場合であって、受変電装置２からデータＤ４にかかる操作を許諾するコードを受信していない場合に、警報信号を出力する。
【００５１】
（制御部３３）
制御部３３は、マイクロコンピュータにより構成される。制御部３３は、後述するコンピュータプログラムを内蔵する。制御部３３は、送受信部３１、記憶部３２、検電部３４に接続される。制御部３３は、送受信部３１、記憶部３２、検電部３４に対し、以下の演算および制御を行う。
【００５２】
（Ｂ１）送受信部３１に対する制御
制御部３３は、受変電装置２から無線電波にて送信されたデータＤ１を受信するように、送受信部３１を制御する。制御部３３は、受変電装置２に対し無線電波にてデータＤ２を送信するように、送受信部３１を制御する。制御部３３は、操作が許諾される場合、受変電装置２からデータＤ４を受信するように送受信部３１を制御する。
【００５３】
（Ｂ２）記憶部３２に対する制御
制御部３３は、記憶部３２に対し、端末装置３を装着する作業者ごとに付与されるデータＤ２の記憶および読出しの制御を行う。
【００５４】
（Ｂ３）検電部３４に対する制御
制御部３３は、検電部３４から出力される、受変電設備４が通電されていることを示す信号を取得する。
【００５５】
（Ｂ４）警報出力部３５に対する制御
制御部３３は、警報音、警報表示により警報信号を出力するように、警報出力部３５を制御する。制御部３３は、検電部３４が通電を検出した場合であって、受変電装置２からデータＤ４にかかる操作を許諾するコードを受信していない場合に、警報信号を出力するように、警報出力部３５を制御する。
【００５６】
［１−２．作用］
次に、本実施形態の電力監視制御システム１の作用を、図１〜図５に基づき説明する。
【００５７】
［Ａ．受変電装置２の動作］
受変電装置２は、端末装置３からデータＤ２を受信し、受変電設備４の開閉器６のロックまたはロック解除の制御、扉錠５の開錠または施錠の制御を行うとともに、端末装置３に対しデータＤ４にかかる操作を許諾するコードを送信する装置である。
【００５８】
受変電装置２は、図４に示すプログラムに従って動作を行う。以下に受変電装置２ａの動作を図４に示すプログラムに沿って説明する。受変電装置２ｂ、２ｃの動作も同様である。図４に示すプログラムは、制御部２７に内蔵される。図４に示すプログラムは、制御部２７により、繰り返し実行される。
【００５９】
（ステップＳ０１：端末装置３にデータＤ１の送信を行う）
制御部２７は、端末装置３に対し、送受信部２１からデータＤ１の送信を行う。データＤ１は、端末装置３に対し、コードの送信を命じるコマンドであり、無線電波により送信される。図４に示すプログラムが、繰り返し実行されるため、データＤ１の送信は、常時行われる。
【００６０】
（ステップＳ０２：端末装置３からデータＤ２を受信したかの判断を行う）
制御部２７は、端末装置３からデータＤ２を、送受信部２１が受信したかの判断を行う。データＤ２にかかる操作の許諾に関するコードには、作業者の識別コード、許諾の対象となる受変電設備４を示すコード、開閉器６の開閉の許諾を求めるコード、扉錠５の開錠の許諾を求めるコードが含まれる。データＤ２は、データＤ１に呼応する形で、無線電波にて端末装置３から送信される。
【００６１】
データＤ２を受信したと判断した場合（ステップＳ０２のＹＥＳ）、ステップＳ０３に移行する。データＤ２を受信したと判断しない場合（ステップＳ０２のＮＯ）、ステップＳ０９に移行する。
【００６２】
（ステップＳ０３：データＤ２にかかる作業者は許諾対象者であるかの判断を行う）
ステップＳ０２にてデータＤ２を受信したと判断された場合、制御部２７は、ステップＳ０２にて受信したデータＤ２にかかる作業者は許諾対象者であるかの判断を行う。具体的には、最初に、データＤ２にかかる許諾の対象となる受変電設備４を示すコードが、受変電装置２ａに接続された受変電設備４ａと一致するか判断する。
【００６３】
データＤ２にかかる許諾の対象となる受変電設備４を示すコードが、受変電装置２ａに接続された受変電設備４ａと一致し、かつデータＤ２に開閉器６の開閉の許諾を求めるコードが含まれている場合、データＤ２の作業者の識別コードが、記憶部２６に記憶された開閉器６の開閉を許諾する作業者の識別コードと一致するか判断し、一致した場合、開閉器６の操作に関する許諾対象者であると判断する。
【００６４】
データＤ２に扉錠５の開錠の許諾を求めるコードが含まれている場合、データＤ２の作業者の識別コードが、記憶部２６に記憶された扉錠５の開錠を許諾する作業者の識別コードと一致するか判断し、一致した場合、扉錠５の開錠に関する許諾対象者であると判断する。
【００６５】
開閉器６の操作に関する許諾対象者、扉錠５の開錠に関する許諾対象者のいずれかであると判断した場合（ステップＳ０３のＹＥＳ）、ステップＳ０４に移行する。いずれかの許諾対象者であると判断しない場合（ステップＳ０３のＮＯ）、ステップＳ０９に移行する。
【００６６】
（ステップＳ０４：データＤ２の無線電波の強度の測定を行う）
ステップＳ０３にて許諾対象者であると判断された場合、制御部２７は、ステップＳ０２にて受信したデータＤ２にかかる無線電波の強度の測定を、測定部２２により行う。測定された無線電波の強度は、受変電装置２ａのデータＤ３ａとされる。
【００６７】
（ステップＳ０５：受変電装置２ａ、２ｂ、２ｃ間でデータＤ３の送受信を行う）
次に、制御部２７は、ステップＳ０４にて測定した受変電装置２ａのデータＤ３ａを、通信部２３から受変電装置２ｂ、２ｃに送信する。また、制御部２７は、通信部２３により受変電装置２ｂ、２ｃにて測定されたデータＤ３ｂ、データＤ３ｃを受信する。
【００６８】
（ステップＳ０６：自己のデータＤ３が、データＤ３ａ、Ｄ３ｂ、Ｄ３ｃ中最大であるかの判断を行う）
次に、制御部２７は、ステップＳ０５にて受信した受変電装置２ｂにより測定されたデータＤ３ｂ、受変電装置２ｃにて測定されたデータＤ３ｃと比較し、受変電装置２ａのデータＤ３ａが、データＤ３ａ、データＤ３ｂ、データＤ３ｃ中、最大であるかの判断を行う。受変電装置２ａのデータＤ３ａが、データＤ３ａ、データＤ３ｂ、データＤ３ｃ中、最大である場合、端末装置３が、受変電装置２ａ、２ｂ、２ｃ中、一番受変電装置２ａに近接していると想定されるからである。
【００６９】
自己のデータＤ３が最大であると判断した場合（ステップＳ０６のＹＥＳ）、ステップＳ０７に移行する。自己のデータＤ３が最大であると判断しない場合（ステップＳ０６のＮＯ）、ステップＳ０９に移行する。
【００７０】
（ステップＳ０７：開閉器６のロック解除、扉錠５の開錠を行う）
ステップＳ０６にて自己のデータＤ３が最大であると判断された場合、制御部２７は、開閉指示部２４を介し、開閉器６のロック解除および、または扉錠５の開錠の制御を行う。
【００７１】
具体的には、ステップ０３にて開閉器６の操作に関する許諾対象者であると判断された場合、開閉器６のロック解除が行われ、ステップ０３にて扉錠５の開錠に関する許諾対象者であると判断された場合、扉錠５の開錠が行われる。
【００７２】
（ステップＳ０８：端末装置３にデータＤ４の送信を行う）
次に、制御部２７は、端末装置３に対し、送受信部２１から無線電波にてデータＤ４の送信を行う。データＤ４にかかる操作を許諾するコードには、開閉器６の操作に関する許諾コードおよび、または扉錠５の開錠に関する許諾コードが含まれる。
【００７３】
具体的には、ステップ０３にて開閉器６の操作に関する許諾対象者であると判断された場合、データＤ４にかかる操作を許諾するコードには、開閉器６の操作に関する許諾コードが含まれ、ステップ０３にて扉錠５の開錠に関する許諾対象者であると判断された場合、データＤ４にかかる操作を許諾するコードには、扉錠５の開錠に関する許諾コードが含まれる。制御部２７は、ステップＳ０８にかかる処理の後、一連のプログラムを終了する。
【００７４】
（ステップＳ０９：開閉器６のロック、扉錠５の施錠を行う）
ステップＳ０２にてデータＤ２を受信したと判断されない場合、ステップＳ０３にていずれかの許諾対象者であると判断されない場合、およびステップＳ０６にて自己のデータＤ３が最大であると判断されない場合、制御部２７は、開閉指示部２４を介し、開閉器６のロックおよび扉錠５の施錠の制御を行う。
【００７５】
（ステップＳ１０：開閉器６または扉錠５が操作されたかの判断を行う）
次に、制御部２７は、開閉器６または扉錠５が操作されたかの判断を行う。ステップＳ０２にてデータＤ２を受信したと判断されない場合、ステップＳ０３にていずれかの許諾対象者であると判断されない場合、およびステップＳ０６にて自己のデータＤ３が最大であると判断されない場合に、開閉器６または扉錠５が操作されることは不適切であるからである。
【００７６】
開閉器６または扉錠５が操作されたと判断した場合（ステップＳ１０のＹＥＳ）、ステップＳ１１に移行する。開閉器６または扉錠５が操作されたと判断しない場合（ステップＳ１０のＮＯ）、一連のプログラムを終了する。
【００７７】
（ステップＳ１１：警報出力部２５から警報信号を出力する）
ステップＳ１０にて開閉器６または扉錠５が操作されたと判断された場合、制御部２７は、警報出力部２５から警報信号を出力する。警報信号は、警報出力部２５から警報音、警報表示により出力される。その後、一連のプログラムを終了する。
【００７８】
上記プログラムのステップＳ０２により、データＤ２を受信したと判断されない場合、ステップ０９により、開閉器６のロックおよび扉錠５の施錠が行われる。
【００７９】
また、上記プログラムのステップＳ０３により、いずれかの許諾対象者であると判断されない場合、ステップ０９により、開閉器６のロックおよび扉錠５の施錠が行われる。
【００８０】
さらに、上記プログラムのステップＳ０６により、自己のデータＤ３が最大であると判断されない場合、ステップ０９により、開閉器６のロックおよび扉錠５の施錠が行われる。
【００８１】
ステップ０６において、変電装置２ａのデータＤ３ａが、データＤ３ａ、データＤ３ｂ、データＤ３ｃ中、最大であると判断された場合、端末装置３が、受変電装置２ａ、２ｂ、２ｃ中、一番受変電装置２ａに近接していると想定される。したがって、端末装置３を装着した作業者が受変電装置２ａを操作することが予測される。
【００８２】
ステップＳ０２にてデータＤ２を受信したと判断された場合であって、ステップＳ０３にていずれかの許諾対象者であると判断された場合であり、かつステップＳ０６にて自己の変電装置２ａにかかるデータＤ３ａが、データＤ３ａ、データＤ３ｂ、データＤ３ｃ中、最大であると判断された場合に、ステップＳ０７により開閉器６のロック解除および、または扉錠５の開錠が行われる。
【００８３】
また、上記プログラムのステップＳ０２にてデータＤ２を受信したと判断されない場合、ステップＳ０３にていずれかの許諾対象者であると判断されない場合、およびステップＳ０６にて自己のデータＤ３が最大であると判断されない場合に、ステップＳ１０にて開閉器６または扉錠５が操作された場合、ステップＳ１１にて警報信号が出力される。
【００８４】
［Ｂ．端末装置３の動作］
端末装置３は、受変電装置２から送信されたデータＤ１に応答し、データＤ２を送信し、データＤ４にかかる操作を許諾するコードを受信する装置である。また、端末装置３は、データＤ４を受信しない場合であって、受変電装置２が通電されていることを検出した場合、警報を出力する。
【００８５】
また、端末装置３は、受変電装置２から送信されたデータＤ１の電波にかかるエネルギーを電源として動作する。端末装置３は、作業者により装着されるリストバンドに配置される。
【００８６】
端末装置３は、図５に示すプログラムに従って動作を行う。以下に端末装置３の動作を図５に示すプログラムに沿って説明する。図５に示すプログラムは、制御部３３に内蔵される。端末装置３が受変電装置２から送信されたデータＤ１の電波にかかるエネルギーを受信し、電源電圧が発生することにより、図５に示すプログラムが起動し、制御部３３により実行される。
【００８７】
（ステップＲ０１：受変電装置２からデータＤ１を受信したかの判断を行う）
制御部３３は、受変電装置２からデータＤ１を、送受信部３１が受信したかの判断を行う。データＤ１は、端末装置３に対しコードの送信を命じるコマンドであり、無線電波により受変電装置２から送信される。また、データＤ１の電波にかかるエネルギーは、端末装置３の電源のエネルギーとなる。
【００８８】
データＤ１を受信したと判断した場合（ステップＲ０１のＹＥＳ）、ステップＲ０２に移行する。データＤ１を受信したと判断しない場合（ステップＲ０１のＮＯ）、ステップＲ０４に移行する。
【００８９】
（ステップＲ０２：受変電装置２にデータＤ２の送信を行う）
ステップＲ０１にてデータＤ１を受信したと判断された場合、制御部３３は、受変電装置２に対し、送受信部３１からデータＤ２の送信を行う。前述のとおりデータＤ２にかかる操作の許諾に関するコードには、作業者の識別コード、許諾の対象となる受変電設備４を示すコード、開閉器６の開閉の許諾を求めるコード、扉錠５の開錠の許諾を求めるコードが含まれる。
【００９０】
（ステップＲ０３：受変電装置２からデータＤ４を受信したかの判断を行う）
次に、制御部３３は、受変電装置２からデータＤ４を、送受信部３１が受信したかの判断を行う。前述のとおり、データＤ４にかかる操作を許諾するコードには、開閉器６の操作に関する許諾コードおよび、または扉錠５の開錠に関する許諾コードが含まれる。
【００９１】
データＤ４を受信したと判断しない場合（ステップＲ０３のＮＯ）、ステップＳ０４に移行する。データＤ４を受信したと判断した場合（ステップＲ０３のＹＥＳ）、プログラムを終了する。
【００９２】
（ステップＲ０４：通電されていることを検電部３４が検出したかの判断を行う）
次に、制御部３３は、受変電装置２が通電されていることを、検電部３４が検出したかの判断を行う。
【００９３】
受変電装置２が通電されていることを、検電部３４が検出したと判断した場合（ステップＲ０４のＹＥＳ）、ステップＳ０５に移行する。受変電装置２が通電されていることを、検電部３４が検出したと判断しない場合（ステップＲ０４のＮＯ）、プログラムを終了する。
【００９４】
（ステップＲ０４：電力監視制御装置３にデータＤ２の送信を行う）
ステップＲ０４にて受変電装置２が通電されていることを、検電部３４が検出したと判断された場合、制御部３３は、警報出力部３５から警報を出力する。警報は、警報出力部２５から警報音、警報表示により出力される。その後、一連のプログラムを終了する。
【００９５】
上記プログラムのステップＲ０１にてデータＤ１を受信したと判断されない場合、またはステップＲ０３にてデータＤ４を受信したと判断されない場合であって、ステップＲ０４にて受変電装置２が通電されていることを、検電部３４が検出したと判断された場合、端末装置３は、警報を出力する。以上が、本実施形態にかかる受変電システム１の動作である。
【００９６】
［１−３．効果］
（１）本実施形態によれば、受変電システム１は、作業者に装着される端末装置３が、操作の許諾に関するコードであるデータＤ２を無線電波にて送信し、受変電装置２が、端末装置３から送信された操作の許諾に関するコードであるデータＤ２を受信する送受信部２１と、送受信部２１により受信された操作の許諾に関するコードであるデータＤ２に基づき、対象となる受変電設備４の操作部である開閉器６のロックを解除すること、受変電設備４の扉錠５を開錠すること、のうち少なくとも一つを判断する判断部としての制御部２７と、判断部としての制御部２７の判断に基づき、受変電設備４の操作部である開閉器６のロックを解除すること、受変電設備４の扉錠５を開錠すること、のうち少なくとも一つを行う開閉指示部２４と、を備えるので、許諾された作業者にのみ、操作される受変電システムおよび受変電装置を提供することができる。
【００９７】
（２）本実施形態によれば、受変電装置２の判断部としての制御部２７が、端末装置３から操作の許諾に関するコードであるデータＤ２を受信しないと判断した場合、開閉指示部２４は対象となる受変電設備４の操作部である開閉器６をロックすること、受変電設備４の扉錠５を施錠すること、のうち少なくとも一つを行うので、許諾されない作業者による操作部である開閉器６、扉錠５の操作を防止することができる。その結果、許諾された作業者にのみ、操作される受変電システムおよび受変電装置を提供することができる。
【００９８】
（３）本実施形態によれば、受変電装置２の判断部としての制御部２７が、端末装置３から操作の許諾に関するコードであるデータＤ２を受信しないと判断した場合に、受変電設備４の操作部である開閉器６を操作する動作、受変電設備４の扉錠５を開錠する操作、のうち少なくとも一つが行われた場合、警報信号が出力されるので、許諾されない作業者による操作部である開閉器６、扉錠５の操作を防止することができる。その結果、許諾された作業者にのみ、操作される受変電システムおよび受変電装置を提供することができる。
【００９９】
（４）本実施形態によれば、受変電装置２は、操作の許諾に関するコードであるデータＤ２にかかる無線電波の電波強度を測定する測定部２２と、測定部２２により測定された電波強度を、複数の受変電装置２にて相互に通信する通信部２３と、を備え、判断部としての制御部２７は、通信部２３により受信された電波強度のうち、自己の電波強度が最大であると判断しない場合は、対象となる受変電設備４の操作部である開閉器６のロックを解除すること、受変電設備４の扉錠５を開錠すること、を行わないと判断するので、複数の受変電装置２のうち作業者が接近した受変電装置２のみ、操作部である開閉器６、扉錠５の操作が行われるようにすることができる。その結果、許諾された作業者により、複数の受変電装置２のうち作業者が接近した受変電装置２のみ操作される、安全性の高い受変電システムおよび受変電装置を提供することができる。
【０１００】
（５）本実施形態によれば、端末装置３は、通電を検出する検電部３４を含み、作業者により装着されるリストバンドに配置されるので、検電器を兼ねたコンパクトで持ち運びやすい端末装置３を提供することができる。
【０１０１】
（６）本実施形態によれば、端末装置３は、ＲＦＩＤにより構成され、端末装置３は受変電装置２から送信された電波にかかるエネルギーを電源として動作するので、端末装置３に電池等の電源が不要であり、軽量、小型で、電池の交換等のメンテナンスが不要であり、電池の交換にかかる費用を節約することができる端末装置３を提供することができる。
【０１０２】
（７）本実施形態によれば、端末装置３は、受変電装置２から送信された、電力にかかる誘導のエネルギーを電源として動作するので、端末装置３に電池等の電源が不要であり、軽量、小型で、電池の交換等のメンテナンスが不要であり、電池の交換にかかる費用を節約することができる端末装置３を提供することができる。
【０１０３】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【０１０４】
（１）上記実施形態では、３台の受変電装置２、受変電設備４により構成されるものとしたが受変電装置２、受変電設備４の台数はこれに限られず、任意の数量であってよい。
【０１０５】
（２）上記実施形態では、受変電装置２がデータＤ１を送信し、これに応答する形で端末装置３がデータＤ２を送信するものとしたが、受変電装置２がデータＤ１を送信することなく、常時、端末装置３がデータＤ２を送信するようにしてもよい。
【０１０６】
（３）上記実施形態では、通信回線８は、社内イントラネット、インターネット等により構成された通信回線としたが、通信回線８は、これに限られない。通信回線８は、例えばカレントループのようなローカル通信用の伝送線であってもよい。
【０１０７】
（４）上記実施形態では、受変電装置２の警報出力部２５は、警報音、警報表示により警報信号を出力するものとしたが、出力される警報信号はこれに限られない。警報出力部２５は、伝送信号により警報信号を出力するものとしてもよい。
【０１０８】
（５）上記実施形態では、端末装置３の警報出力部３５は、警報音、警報表示により警報信号を出力するものとしたが、出力される警報信号はこれに限られない。警報出力部３５は、伝送信号により警報信号を出力するものとしてもよい。
【０１０９】
（６）上記実施形態では、記憶部２６が、受変電設備４ごとの操作部開閉器６の開閉を許諾する作業者の識別コード、扉錠５の開錠を許諾する作業者の識別コードを記憶するものとした。記憶部２６に記憶される開閉器６の開閉を許諾する作業者の識別コード、扉錠５の開錠を許諾する作業者の識別コードは、受変電装置２ごとに固有に記憶されるものであってよい。
【０１１０】
また、開閉器６の開閉を許諾する作業者の識別コード、扉錠５の開錠を許諾する作業者の識別コードは、時間ごとに異なるコードをスケ―ジュール化して、記憶部２６に記憶されるようにしてもよい。例えば、メンテナンスを行う日が、事前に決められており、メンテナンス作業を行う作業者が、平日とは異なる場合がある。このような場合に、開閉器６の開閉を許諾する作業者の識別コード、扉錠５の開錠を許諾する作業者の識別コードを時間ごとにスケ―ジュール化して受変電装置２の記憶部２６に記憶させておけば、よりフレキシブルに受変電設備４のメンテナンスを行うことが可能となる。
【０１１１】
（７）上記実施形態では、記憶部２６が、受変電設備４ごとの開閉器６の開閉を許諾する作業者の識別コード、扉錠５の開錠を許諾する作業者の識別コードを記憶し、これらのコードに合致するコードを含むデータＤ２を受信した場合に、開閉器６のロック解除および、または扉錠５の開錠を行うこととした。しかしながら、開閉器６のロック解除および、または扉錠５の開錠の条件はこれに限られない。
【０１１２】
データＤ２に、開閉器６のロック解除を許諾した旨のコードおよび、または扉錠５の開錠を許諾した旨のコードを含むようにし、これらのコードを含むデータＤ２を、受変電装置２が受信した場合に、開閉器６のロック解除および、または扉錠５の開錠を行うようにしてもよい。開閉器６のロック解除を許諾した旨のコード、扉錠５の開錠を許諾した旨のコードは、予め端末装置３に設定されるものとする。
【０１１３】
もしくは、作業者の熟練の度合いを示すコードを端末装置３に設定し、端末装置３から送信されるデータＤ２に熟練の度合いを示すコードが含まれるようにし、受変電装置２は、熟練の度合いを示すコードに基づき、開閉器６のロック解除および、または扉錠５の開錠を行うようにしてもよい。作業者の熟練の度合いを示すコードに応じ、開閉器６のロック解除および、または扉錠５の開錠が個別に許諾されるようにしてもよい。
【０１１４】
（８）上記実施形態に加え、受変電装置２は、他の受変電装置２が操作されたかを通信部２３を介し相互通信し、他の受変電装置２が操作されている場合は、受変電設備４の開閉器６をロックすること、受変電設備４の扉錠５の施錠を行うようにしてもよい。このように構成することで、複数の受変電設備４が同時に操作されることを防止でき、作業者は、より安全に作業を行うことができる。
【０１１５】
（９）上記実施形態では、受変電設備４の操作部は、開閉器６であるものとしたが、操作部はこれに限られない。操作部は、受変電設備４に配置された各種コントローラ、測定装置であってもよい。
【０１１６】
（１０）上記実施形態では、端末装置３は、受変電装置２から送信されたデータＤ１の電波にかかるエネルギーを電源として動作するものとしたが、端末装置３は、受変電装置２から送信された、電力にかかる誘導のエネルギーを電源として動作するものであってもよい。また、端末装置３は、電池等の他の電源により動作するものであってもよい。
【符号の説明】
【０１１７】
１・・・受変電システム
２、２ａ、２ｂ、２ｃ・・・受変電装置
３・・・端末装置
４・・・受変電設備
５・・・扉錠
６・・・開閉器
７・・・中央制御装置
８・・・通信回線
２１・・・送受信部
２２・・・測定部
２３・・・通信部
２４・・・開閉指示部
２５・・・警報出力部
２６・・・記憶部
２７・・・制御部
３１・・・送受信部
３２・・・記憶部
３３・・・制御部
３４・・・検電部
３５・・・警報出力部
【図１】
2019068531.tif 000003
【図２】
2019068531.tif 000004
【図３】
2019068531.tif 000005
【図４】
2019068531.tif 000006
【図５】
2019068531.tif 000007